(57)【特許請求の範囲】
【請求項１】
表示部と、
前記表示部の表示面に重ねて設けられ、押圧された位置を検出するタッチパネルと、
薄板状の部材と、前記部材に配置される操作子であって、前記部材を貫通する方向に移動自在な操作子とを有し、前記部材が移動自在に構成され、移動可能な位置の一つとして前記タッチパネル上の所定位置が設定されているスイッチパネルと、
前記スイッチパネルが前記タッチパネル上の所定位置に位置していることを検出する検出手段と、
前記検出手段によって前記スイッチパネルが前記所定位置にあることが検出されているときに、前記タッチパネルの前記操作子に対応する位置において押圧が検出されたか否かを認識する操作子認識手段と
を具備することを特徴とする入力装置。
【請求項２】
前記操作子は前記スイッチパネル内に複数設けられている
ことを特徴とする請求項１に記載の入力装置。
【請求項３】
前記スイッチパネルは積層可能に複数枚設けられ、前記各スイッチパネルの前記各操作子は、積層されている状態において操作されると、隣接する層のスイッチパネルのうち対応する位置関係にある操作子を押圧するように設けられている
ことを特徴とする請求項２に記載の入力装置。
【請求項４】
前記操作子認識手段は押圧を検出すると、検出位置に応じて予め定められた入力指示があったと認識する
ことを特徴とする請求項１から３のいずれかに記載の入力装置。
【請求項５】
入力された画像に対し所定の画像処理を行う画像処理部を有する画像処理装置において、
請求項１から４いずれかに記載の入力装置を有する
ことを特徴とする画像処理装置。
【発明の詳細な説明】
【技術分野】
【０００１】
本発明は、タッチパネルと操作キーを有する入力装置および画像処理装置に関する。
【背景技術】
【０００２】
ファクシミリやパーソナルコンピュータなどの装置において、一つのキーを操作すると、予め登録された操作内容の入力として受け付けるキー（以下、ワンタッチキーという）を備えた装置があるが、近年、装置の多機能化に伴い、多数のワンタッチキーを少ないスペースに備えたいという要望がある。
そこで、特許文献１では、１つのワンタッチキーに複数の操作内容が割り当てられるようにして、省スペース化を図っている。
【特許文献１】特開２００３−１１５９１５号公報
【発明の開示】
【発明が解決しようとする課題】
【０００３】
ところで、ファクシミリとコピーの機能を併せ持つ複合機などの装置においては、ワンタッチキーと表示部およびタッチパネルとを併用して、操作性の向上を実現しているものがある。表示部およびタッチパネルは、各種操作の入力操作を受け付ける機能に加え、操作結果などを表示するので、そのサイズを大きくすると、操作の入力や確認が行いやすく、操作性がさらに向上する。
しかしながら、表示部およびタッチパネルとワンタッチキーが設けられるスペースには制限があり、表示部およびタッチパネルのサイズをむやみに大きくすることは難しい。すなわち、表示部およびタッチパネルのサイズとワンタッチキーの数とはトレードオフの関係にあり、その解決が望まれていた。
本発明は上記事情に鑑みてなされたものであり、限られたスペースの中に、多くのワンタッチキーを設けるとともに、大きなサイズの表示部およびタッチパネルを設けることができる入力装置および画像処理装置を提供することを目的とする。
【課題を解決するための手段】
【０００４】
上述した課題を解決するために本発明は、表示部と、前記表示部の表示面に重ねて設けられ、押圧された位置を検出するタッチパネルと、薄板状の部材と、前記部材に配置される操作子であって、前記部材を貫通する方向に移動自在な操作子とを有し、前記部材が移動自在に構成され、移動可能な位置の一つとして前記タッチパネル上の所定位置が設定されているスイッチパネルと、前記スイッチパネルが前記タッチパネル上の所定位置に位置していることを検出する検出手段と、前記検出手段によって前記スイッチパネルが前記所定位置にあることが検出されているときに、前記タッチパネルの前記操作子に対応する位置において押圧が検出されたか否かを認識する操作子認識手段とを具備する入力装置を提供する。
【０００５】
また、より望ましい様態においては、前記入力装置における前記スイッチパネルの移動可能な位置の一つとして前記タッチパネルとは別の位置に設けられ、前記スイッチパネルが載置可能なスイッチパネル載置部と、前記スイッチパネル載置部に前記スイッチパネルが載置されている状態において前記操作子によって押圧されるスイッチ手段と、前記スイッチパネルが前記タッチパネル載置部の所定の位置にあることを検出する第２の検出手段と、前記タッチパネルが所定の位置にあることを前記第２の検出手段が検出している状態において、前記スイッチ手段の状態を検出するスイッチ状態検出手段とを具備してもよい。
【０００６】
さらに望ましい様態においては、前記入力装置における前記操作子は前記スイッチパネル内に複数設けられてもよい。
あるいは、前記スイッチパネルは積層可能に複数枚設けられ、前記各スイッチパネルの前記各操作子は、積層されている状態において操作されると、隣接する層のスイッチパネルのうち対応する位置関係にある操作子を押圧するように設けられてもいい。
【０００７】
さらに望ましい様態においては、前記入力装置における前記操作子認識手段は押圧を検出すると、検出位置に応じて予め定められた入力指示があったと認識してもよい。
なお、本発明は、入力された画像に対し所定の画像処理を行う画像処理部を有する画像処理装置において、上述した入力装置を有する画像処理装置であってもよい。
【発明の効果】
【０００８】
本発明によれば、限られたスペースの中に、多くのワンタッチキーを設けるとともに、大きなサイズの表示部およびタッチパネルを設けることができる。
【発明を実施するための最良の形態】
【０００９】
以下、本発明に関する一実施形態について説明する。
＜構成＞
図１は本発明の一実施形態である画像形成装置１００の構成を示す図である。図１に示すように、制御部１０は、ＣＰＵ（Central Processing Unit）１１とＲＯＭ（Read Only Memory）１２、ＲＡＭ（Random Access Memory）１３とを備え、ＣＰＵ１１はＲＯＭ１２に格納されている各種制御プログラムを読み出し、ＲＡＭ１３をワークエリアとして用いて各種制御プログラムを実行する。また、本実施形態において、ＲＯＭ１２には図９に示すパネル状態テーブル１４（詳細は後述）や図１０に示す操作対応テーブル１５（詳細は後述）などが記憶されている。
【００１０】
次に、図２、図３、図４は表示操作部２０と操作部３０の構成を示す図である。
表示操作部２０は、表示部と、その表示面に重ねて配置される透明のタッチパネルとを有し、制御部１０の制御に基づいて、操作を促すメッセージや処理状況を示す種々の表示を行うとともに、各種の操作の入力も受け付ける。表示操作部２０の周囲には、図２（ａ）に示すように、枠２１が設けられている。
【００１１】
また、表示操作部２０のタッチパネルが押圧されると、ＣＰＵ１１はその押圧位置（例えば、タッチパネルの縦横方向をＸ軸、Ｙ軸としたときの（ｘ，ｙ）座標など）を認識する。また、認識した押圧位置において、表示部がボタン表示をしていた場合は、そのボタンが押されたものとして、所定の操作指示が入力されたと認識する。
【００１２】
次に、操作部３０は、所定の数の本体操作キー３９を有する本体部３３、所定の数のキートップを有する第１パネル３１と第２パネル３５により構成される。ここで、説明の便宜上、図２（ａ）に示すように、第１パネル３１が本体部３３と第２パネル３５に重ねて載置された状態を第１モード、図３（ａ）に示すように、第１パネル３１は表示操作部２０の枠２１に載置され、第２パネル３５は本体部３３に重ねて載置された状態を第２モード、図４（ａ）に示すように、第２パネル３５が第１パネル３１と表示操作部２０の枠２１に重ねて載置された状態を第３モードとする。
【００１３】
次に、図２（ｂ）、図３（ｂ）、図４（ｂ）を参照して、操作部３０の詳細な構成について説明する。なお、図２（ｂ）は図２（ａ）のＡ−Ａ´における断面図であり、同様に図３（ｂ）は図３（ａ）のＢ−Ｂ´、図４（ｂ）は図４（ａ）のＣ−Ｃ´における断面図である。
本体部３３は、図４（ｂ）に示すように、その内部下方に基板３７を有する。この基板３７上には、所定数の基板スイッチ３８が設けられている。本実施例において、基板スイッチ３８の数は１５個であり、基板スイッチ３８の上方に設けられた本体操作キー３９の近傍には、図４（ａ）に示すように、スイッチ番号として「００１」から「０１５」までの番号が記入されている。
これらの本体操作キー３９のいずれかが押されると、直下の基板スイッチ３８が押され、押下された基板スイッチ３８の出力信号が制御部１０に送られる。
【００１４】
次に、操作部３０に設けられた第１パネル３１と第２パネル３５について説明する。図２（ｂ）に示すように、第１パネル３１と第２パネル３５は、同図において、その表示操作部２０側の側面がヒンジにより固定され、これにより、ヒンジを中心に回動自在になっている。この場合、第１パネル３１と第２パネル３５はヒンジを中心に回動させたときの状態が、上述した第１モード（図２（ｂ））、第２モード（図３（ｂ））、第３モード（図４（ｂ））のいずれかになる。
【００１５】
なお、図３（ｂ）に示す第２モード及び図４（ｂ）に示す第３モードにおいて、表示操作部２０側に回動された第１パネル３１は、表示操作部２０の周囲に設けられた枠２１の上に載置される。この枠２１は、載置された第１パネル３１を水平に固定するとともに、表示操作部２０の上に重ねて置かれた第１パネル３１が、表示操作部２０のタッチパネルを押圧しない高さに設けられている。
【００１６】
図５は、第１パネル３１の平面図である。図５に示すように、第１パネル３１は板状の形状の支持枠を有する。この支持枠には、図示のように厚み方向に貫通する矩形の孔がマトリクス状に設けられており、これらの孔が本体操作キー３９の各位置に対応している。これらの孔には、各々第１キートップ３２が配置される。この第１キートップ３２は立方体の形状をしており、図５に示す左右の側面と孔の内周面との間には、ばねなどの弾性部３４が設けられている。このように、第１キートップ３２は、両側面に配置された弾性部３４によって孔の内周面に固定されているため、弾性部３４の弾力の範囲で上下方向（板状の支持枠を貫通する方向）に移動する。
【００１７】
第２パネル３５は、第１パネル３１と同様に、板状の形状の支持枠を有し、この支持枠には、本体操作キー３９に対応する位置の間隙に第２キートップ３６が配置されている。第２キートップ３６は、扁平な立方体の形状をしており、第１キートップ３２と同様に両側面に設けられた弾性部３４により孔の内周面に固定されている。
【００１８】
次に、図６は第１キートップ３２の側面図である。ここで、説明の便宜のために、この第１キートップ３２と弾性部３４とが接続する箇所を接続点５０とし、対面する接続点５０をつないだ線を軸心５１とする。第１キートップ３２は、図２（ｂ）に示す第１モードにおいて、軸心５１より上方の高さ（以下、Ｈ１）が下方の高さ（以下、Ｈ２）よりも高くなるように形成されている。
【００１９】
各モードにおける位置関係を説明すると、Ｈ１は図３（ｂ）に示す第２モードにおいて、第１キートップ３２が表示操作部２０に接触せず、且つ第１キートップ３２が押された場合には表示操作部２０を押圧する高さになっている。また、Ｈ２は、図２（ｂ）に示す第１モードにおいて、第１キートップ３２の厚さが第２キートップ３６を押さず、且つ第１キートップ３２が押された場合には、第２キートップ３６を押す高さになっている。
【００２０】
また、図７は第２キートップ３６の側面図である。上述した第１キートップ３２と同様に、第２キートップ３６と弾性部３４とが接続する箇所を接続点５２とし、対面する接続点５２をつないだ線を軸心５３とすると、軸心５３の上方の高さ（以下、Ｈ３）と下方の高さ（以下、Ｈ４）が等しくなるように形成されている。
【００２１】
各モードにおける位置関係を説明すると、Ｈ３は図４（ｂ）に示す第３モードにおいて、第２キートップ３６が第１キートップ３２に接触せず、且つ第２キートップ３６が押された場合には第１キートップ３２を押す高さになっている。また、Ｈ４は図３（ｂ）に示す第２モードにおいて、第２キートップ３６の厚さが本体操作キー３９を押さず、且つ第２キートップ３６が押された場合には、本体操作キー３９を押す高さになっている。
【００２２】
次に、４０は第１スイッチであり、図４（ｂ）に示すように、ヒンジと本体操作キー３９の間の本体部３３上に設けられている。この第１スイッチ４０は、図２（ｂ）に示す第１モード及び図３（ｂ）に示す第２モードにおいて、本体部３３に載置される第２パネル３５により押されるようになっている。第１スイッチ４０の可動部が第２パネル３５により押されると、第１スイッチ４０はＯＮになり、制御部１０に検出信号Ｓ１を送る。制御部１０は、この検出信号Ｓ１を受け取ると、第１スイッチ４０がＯＮになったことを認識する。
また、図４（ｂ）に示す第３モードにおいて、第２パネル３５が表示操作部２０の上に回動されると、第２パネル３５により押されていた第１スイッチ４０の可動部が復帰してＯＦＦになる。
【００２３】
第２スイッチ４１は、図２（ｂ）において、ヒンジと表示操作部２０の間の枠２１上に設けられている。この第２スイッチ４１は、図３（ｂ）に示す第２モード及び図４（ｂ）に示す第３モードにおいて、第１パネル３１に押されるようになっている。上述した第１スイッチ４０と同様に、第２スイッチ４１は第１パネル３１により押されるとＯＮになり、制御部１０に検出信号Ｓ２を送る。
また、図２（ｂ）に示す第１モードにおいて、第１パネル３１が本体部３３の上に回動されると、第２スイッチ４１は、その可動部が復帰してＯＦＦになる。
【００２４】
制御部１０は、上述した第１、第２スイッチ４０、４１とパネルの状態が書かれている、パネル状態テーブル１４（図９参照）を予め記憶している。これにより、制御部１０はこのパネル状態テーブル１４を参照して、第１スイッチ４０がＯＮで第２スイッチ４１がＯＦＦの場合は、図２（ｂ）に示す第１モードであることが分かる。また、第１スイッチ４０と第２スイッチ４１とが両方ともＯＮの場合は図３（ｂ）に示す第２モードであり、第１スイッチがＯＦＦで第２スイッチ４１がＯＮの場合は図４（ｂ）に示す第３モードであることが分かる。
【００２５】
＜動作＞
次に、本実施形態の動作について説明する。まず、制御部１０は、電源投入後においては、表示操作部２０に初期メニュー画面（図示略）を表示する。この初期メニュー画面は、その画面に表示されたボタンを操作することにより、ファクシミリの設定を行うＦＡＸモードや、種々のモードに対応する画面へ移行できるようになっている。
【００２６】
制御部１０は、この初期メニュー画面を表示している状態においては、図８に示すように、操作の入力を待機している（ステップＳＡ１）。なお、この説明においては、初期状態において、第１パネル３１と第２パネル３５が本体部３３の上に載置された状態、すなわち、第１モードであるとする。ここで、ＦＡＸモードに移行する指示が入力されると（ステップＳＡ１：ＹＥＳ）、制御部１０は、第１スイッチ４０と第２スイッチ４１の状態を検出する（ステップＳＡ２）。初期状態において、制御部１０は第１スイッチ４０から検出信号Ｓ１を受け取り、第２スイッチ４１からは検出信号Ｓ２を受け取らないため、第１スイッチ４０はＯＮ、第２スイッチ４１はＯＦＦであることが分かる。制御部１０はＲＯＭ１２に記憶されているパネル状態テーブル１４（図９参照）に基づいて、パネルの状態が第１モードであると判断する（ステップＳＡ３）。
【００２７】
次に、制御部１０は、表示操作部２０に図２（ａ）に示すＦＡＸモードの画面を表示する（ステップＳＡ４）。ここで、このＦＡＸモード画面について説明する。制御部１０は、上述したステップＳＡ１においてＦＡＸモードが指示され、かつ、ステップＳＡ３の判断が第１モードである場合は、表示操作部２０に図２（ａ）に示すような画面を表示する。この図に示す画面において、左方の画面は、第１キートップ３２や第２キートップ３６と同様に、「０７６」〜「０９０」の１５個のボタンが表示されている。一方、右方の画面は、ファクシミリを送信する基本設定などの入力を受け付けるメニュー画面が表示されている。ここで、説明の簡略化のために、図２（ａ）に示すスイッチ番号「０７６」のスイッチ表示の位置を座標（１，１）とし、スイッチ表示の位置が右側に行くにつれてｙ座標が１つ増え、スイッチ表示の位置が下側に行くにつれてｘ座標が１つ増えるような座標形を想定して以下の説明を行う。
【００２８】
ここで、図８に示す処理の説明に戻る。次に、制御部１０は、操作部３０の基板スイッチ３８または表示操作部２０のボタン（以下、操作キー）が押されたか否かを判断する（ステップＳＡ５）。ここで、表示操作部２０に表示されている「０７６」のスイッチ番号の表示位置が押されると（ステップＳＡ５：ＹＥＳ）、制御部１０にはその押圧位置（１，１）を受け取る。
【００２９】
ここで、制御部１０には、予め図１０に示す操作対応テーブル１５が作成されている。この操作対応テーブル１５には、パネルの状態（本実施例では第１モード、第２モード、第３モードのいずれかの状態）毎に操作信号もしくは押圧位置に対応するスイッチ番号が書き込まれている。制御部１０は、この操作対応テーブル１５を参照して、入力されたスイッチ番号を判断する（ステップＳＡ６）。
例えば、ステップＳＡ３の判断が第１モードであり、押圧位置が（１，１）である場合、制御部１０は操作対応テーブル１５における第１モードの押圧位置（１，１）の項目を参照し、入力されたスイッチ番号が「０７６」であると判断する（ステップＳＡ６）。
【００３０】
なお、上述ではステップＳＡ５において表示操作部２０に表示されているスイッチ番号「０７６」のボタンが押されたが、第１パネル３１に設けられた「０６１」の第１キートップ３２が予め定められた閾値以上の力で押下された場合（ステップＳＡ５：ＹＥＳ）、図２（ｂ）に示すように、第１キートップ３２の下方にある第２キートップ３６が押され、さらにその下方にある本体操作キー３９が押下される。これにより、第１キートップ３２の「０６１」の下方にある基板スイッチ３８が押され、当該基板スイッチ３８に対応した操作信号ＳＢ１が制御部１０に送られる。これにより、制御部１０は、操作対応テーブル１５における第１モードの操作信号ＳＢ１の項目を参照し、スイッチ番号は「０６１」であると判別する（ステップＳＡ６）。
【００３１】
一方、ステップＳＡ５において、操作キーが押されない場合（ステップＳＡ５：ＮＯ）、制御部１０はステップＳＡ２の処理に戻り、再度第１スイッチ４０と第２スイッチ４１の状態を検出する（ステップＳＡ２）。
ここで、第１パネル３１が回動されて表示操作部２０の枠２１の上に載置された場合、図３（ｂ）に示すように、第１スイッチ４０と第２スイッチ４１とが両方ともＯＮになる。これにより、制御部１０は、検出信号Ｓ１と検出信号Ｓ２とを受け取り、図９に示すパネル状態テーブル１４を参照して、パネルの状態が第２モードであると判断する（ステップＳＡ３）。
【００３２】
次に、制御部１０は、表示操作部２０に図３（ａ）に示すＦＡＸモードの画面を表示する（ステップＳＡ４）。ここで、第１パネル３１のスイッチ番号「０４６」の第１キートップ３２が押されると、図３（ｂ）に示すように、その下方にある表示操作部２０の座標位置（１，１）が押される（ステップＳＡ５：ＹＥＳ）。制御部１０はその押圧位置（１，１）を受け取り、図１０に示す操作対応テーブル１５に基づいて、パネルの状態が第２モードであり、押圧位置が（１，１）である項目を探す。これにより、制御部１０はスイッチ番号が「０４６」であると判断する（ステップＳＡ６）。
【００３３】
また、上述では第１パネル３１だけが回動されたが、第１パネル３１と第２パネル３５とが両方回動されて、表示操作部２０の枠２１の上に載置された場合、図４（ｂ）に示すように、第１スイッチ４０がＯＦＦ、第２スイッチ４１がＯＮになる。これにより、制御部１０は、検出信号Ｓ２のみを受け取り（ステップＳＡ２）、図９に示すパネル状態テーブル１４を参照して、パネルの状態が第３モードであると判断する（ステップＳＡ３）。
【００３４】
次に、制御部１０は、表示操作部２０に図４（ａ）に示すＦＡＸモードの画面を表示する（ステップＳＡ４）。ここで、第２パネル３５のスイッチ番号「０１６」の第２キートップ３６が押されると、図４（ｂ）に示すように、第２キートップ３６の下方にある第１キートップ３２が押され、さらにその下方にある表示操作部２０の座標位置（１，１）が押される（ステップＳＡ５：ＹＥＳ）。制御部１０はその押圧位置（１，１）を受け取り、図１０に示す操作対応テーブル１５に基づいて、パネルの状態が第３モードであり、押圧位置が（１，１）である項目を探す。これにより、制御部１０は、スイッチ番号が「０１６」であると判断する（ステップＳＡ６）。
【００３５】
上述した動作により、制御部１０は１つの操作信号または押圧位置から各モードに対応した複数のスイッチ番号を判別することができる。
【００３６】
＜変形例＞
以上、本発明の実施形態について説明したが、本発明は上述した実施形態に限定されることなく、他の様々な形態で実施可能である。
（１）上述した実施形態では、第１パネル３１と第２パネル３５はその表示操作部２０側の側面がヒンジにより固定され、ヒンジを中心に自在に回動して移動したが、パネルの移動方法はこれに限らない。例えば、操作部３０と表示操作部２０においてパネルを載置する位置の周囲に、パネルを載置位置に固定するガイドを設ける。このとき、パネルはヒンジなどで固定されていないため、ユーザが操作部３０側で用いたい場合はパネルを操作部３０側のガイドに合わせて置き、表示操作部２０側で用いたい場合は表示操作部２０側のガイドに合わせて置いてもよい。
【００３７】
さらに、図１１に示すように、２枚のパネルを並べて設けてもよい。図１１に示す中央のパネルは、上述した実施形態における第１パネル３１と同様の構成であり、左方に設けられたヒンジを中心に回動自在になっている。しかし、図１１に示す右方の第３パネルは第１パネル３１の右方とヒンジで接続される。また、この第３パネルと第１パネル３１とを接続するヒンジは、表示操作部２０には固定されていないため、３６０度回動する。そのため、第３パネルは表示操作部２０の上に置かれるか、ヒンジを中心に谷折りに回動され、第１パネル３１の上に重ねられるか、山折りに回動され、第１パネル３１と共に本体部３３の上に重ねられるか、のいずれかの状態になる。また、表示操作部２０の枠２１と第３パネルが重なる部分には、第３スイッチを設ける。これにより、上述したパネルを状態が３つのいずれかの状態であるかを検出してもよい。
【００３８】
（２）上述した実施形態では、パネルは第１パネル３１と第２パネル３５の２枚で構成したが、パネルの枚数はこれに限らない。１枚のパネルを用いて、パネルの状態がどちらにあるかをスイッチで検出してもよい。
また、上述した実施形態では本体部３３、第１パネル３１及び第２パネル３５の操作キーの数量を１５個にしたが、この操作キーの数量は、１個であっても３０個であっても構わない。
【００３９】
（３）上述した実施形態では、入力装置を画像形成装置１００の表示操作部２０及び操作部３０として用いたが、タッチパネルと操作子を有するＦＡＸやコピー機、プリンタなどであっても構わない。さらに、タッチパネルとキーボードを有する端末装置やＰＤＡなどの入力手段として用いても良い。
【００４０】
（４）上述した実施形態では、ＦＡＸモードに移行する指示が入力されることを契機に動作の処理を開始したが、これに限らない。例えば、操作キーにコピーやＦＡＸ、スキャンなどの動作における複数の設定の組み合わせ（以下、ジョブ）を登録し、ジョブ設定モードに移行する指示が入力されることを契機に動作の処理を開始してもよい。
【００４１】
（５）上述した実施形態では、第１モードにおいて、制御部１０は図２（ａ）に示す、
左方に「０７６」〜「０９０」の１５個のボタンが表示された画面を表示操作部２０に表示した。しかし、例えば、制御部１０は、第１モードにおいては、表示操作部２０の全面にファクシミリを送信する基本設定などの入力を受け付けるメニュー画面を表示し、操作部３０のみで操作キーの入力を受け付けてもよい。なお、第１パネル３１が表示操作部２０の上に載置された第２モード、及び第３モードにおいては、制御部１０は上述した実施形態と同様の処理を行う。
またＦＡＸモードに限らず、第１モードの状態にあるときは、全画面表示を優先しておき、大きく表示することで操作性の向上をはかり、ＦＡＸモードへの移行や、第２、第３モードの状態を検出した場合に、この画面の表示を縮めるようにしてもよい。
【００４２】
（６）上述した実施形態の表示部は、例えば、液晶ディスプレイや、平面ＣＲＴディスプレイであっても良いし、有機ＥＬディスプレイであっても構わない。
【図面の簡単な説明】
【００４３】
【図１】本発明の実施形態である画像形成装置１００の構成を示す図である。
【図２】同実施形態に係る表示操作部２０と操作部３０の構成を示す図である。
【図３】同実施形態に係る表示操作部２０と操作部３０の構成を示す図である。
【図４】同実施形態に係る表示操作部２０と操作部３０の構成を示す図である。
【図５】同実施形態に係る第１パネル３１を示す平面図である。
【図６】同実施形態に係る第１キートップ３２を示す側面図である。
【図７】同実施形態に係る第２キートップ３６を示す側面図である。
【図８】同実施形態に係る表示操作部２０と操作部３０からの操作の入力を受け付ける動作を示すフロー図である。
【図９】同実施形態に係るパネル状態テーブル１４を示す図である。
【図１０】同実施形態に係る操作対応テーブル１５を示す図である。
【図１１】本発明の変形例に係る操作パネルを示す図である。
【符号の説明】
【００４４】
１００…画像形成装置、１０…制御部、１１…ＣＰＵ、１２…ＲＯＭ、１３…ＲＡＭ、１４…パネル状態テーブル、１５…操作対応テーブル、２０…表示操作部、２１…枠、３０…操作部、３１…第１パネル、３２…第１キートップ、３３…本体部、３４…弾性部、３５…第２パネル、３６…第２キートップ、３７…基板、３８…基板スイッチ、３９…本体操作キー、４０…第１スイッチ、４１…第２スイッチ、５０、５２…接続点、５１、５３…軸心。
【図１】
0004654933.tif 000002
【図２】
0004654933.tif 000003
【図３】
0004654933.tif 000004
【図４】
0004654933.tif 000005
【図５】
0004654933.tif 000006
【図６】
0004654933.tif 000007
【図７】
0004654933.tif 000008
【図８】
0004654933.tif 000009
【図９】
0004654933.tif 000010
【図１０】
0004654933.tif 000011
【図１１】
0004654933.tif 000012